(57)【要約】【課題】Ｘ線ＣＴ装置において、排熱の効率を向上するとともに騒音を抑制する。【解決手段】Ｘ線ＣＴ装置はＸ線管及びＸ線検出器を回転させる回転フレームを有する架台装置を備える。架台装置は、前面の外装となる第１外側部材と、その内側に位置する第１内側部材との２層を有し、第１外側部材に形成された第１吸気口から外気を吸気し、第１外側部材と第１内側部材との間の第１間隙空間を介して回転フレームが収容される第１内側部材の内側の収容空間へと外気を流入する、フロントカバーと、後面の外装となる第２外側部材と、その内側に位置する第２内側部材との２層を有し、第２外側部材に形成された第２吸気口から外気を吸気し、第２外側部材と第２内側部材との間の第２間隙空間を介して収容空間へと外気を流入する、リアカバーと、を備える。【選択図】図１
2020039707.tif 000002
【特許請求の範囲】
【請求項１】
Ｘ線管及びＸ線検出器を回転させる回転フレームを有する架台装置を備え、
前記架台装置は、
前記架台装置の前面における外装となる第１外側部材と、前記第１外側部材の内側に位置する第１内側部材との２層を有し、前記第１外側部材と前記第１内側部材により前記架台装置の前面において内側と外側の境界となるフロントカバーであって、前記第１外側部材に形成された第１吸気口から外気を吸気し、前記第１外側部材と前記第１内側部材との間の第１間隙空間を介して、前記回転フレームが収容される前記第１内側部材の内側の収容空間へと外気を流入する、フロントカバーと、
前記架台装置の後面における外装となる第２外側部材と、前記第２外側部材の内側に位置する第２内側部材との２層を有し、前記第２外側部材と前記第２内側部材により前記架台装置の後面において内側と外側の境界となるリアカバーであって、前記第２外側部材に形成された第２吸気口から外気を吸気し、前記第２外側部材と前記第２内側部材との間の第２間隙空間を介して、前記収容空間へと外気を流入する、リアカバーと、
を備える、Ｘ線ＣＴ装置。
【請求項２】
前記第１内側部材及び前記第２内側部材は、前記回転フレームの回転する内周部において、前記収容空間に外気を流入する、請求項１に記載のＸ線ＣＴ装置。
【請求項３】
前記フロントカバー及び前記リアカバーは、吸気した外気を前記収容空間へと流入する、吸気流路を備える、請求項１又は請求項２に記載のＸ線ＣＴ装置。
【請求項４】
前記架台装置はさらに、
前記架台装置の側面における外装となる第３外側部材と、前記第３外側部材の内側に位置する第３内側部材との２層を有し、前記第３外側部材と前記第３内側部材により前記架台装置の側面において内側と外側の境界となるサイドカバーであって、前記第３外側部材と前記第３内側部材との間の第３間隙空間を介して、前記収容空間の空気を前記第３外側部材に備えられる排気口から排気する、請求項１乃至請求項３のいずれかに記載のＸ線ＣＴ装置。
【請求項５】
前記第３内側部材は、前記第３間隙空間に前記収容空間の空気を排出する、ファンを備える、請求項４に記載のＸ線ＣＴ装置。
【請求項６】
前記フロントカバー及び前記リアカバーにおける吸気した外気の流路と、前記サイドカバーにおける排気する空気の流路とは、分断された空間である、請求項４又は請求項５に記載のＸ線ＣＴ装置。
【請求項７】
前記サイドカバーは、前記収容空間から空気を排出する、排出流路を備える、請求項４乃至請求項６のいずれかに記載のＸ線ＣＴ装置。
【請求項８】
前記第１吸気口又は前記第２吸気口は、前記架台装置の下部に備えられる、請求項１乃至請求項７のいずれかに記載のＸ線ＣＴ装置。
【請求項９】
前記収容空間から前記第３間隙空間への前記第３内側部材における空気の排出は、前記架台装置の上部において行われる、請求項４乃至請求項７のいずれかに記載のＸ線ＣＴ装置。
【請求項１０】
Ｘ線管及びＸ線検出器を回転させる、回転フレームと、
前面における外装となる第１外側部材と、前記第１外側部材の内側に位置する第１内側部材との２層を有し、前記第１外側部材と前記第１内側部材により前面において内側と外側の境界となるフロントカバーであって、前記第１外側部材に形成された第１吸気口から外気を吸気し、前記第１外側部材と前記第１内側部材との間の第１間隙空間を介して、前記回転フレームが収容される前記第１内側部材の内側の収容空間へと外気を流入する、フロントカバーと、
後面における外装となる第２外側部材と、前記第２外側部材の内側に位置する第２内側部材との２層を有し、前記第２外側部材と前記第２内側部材により後面において内側と外側の境界となるリアカバーであって、前記第２外側部材に形成された第２吸気口から外気を吸気し、前記第２外側部材と前記第２内側部材との間の第２間隙空間を介して、前記収容空間へと外気を流入する、リアカバーと、
を備える架台装置。
【請求項１１】
外装となる外側部材と、前記外側部材の内側に位置する内側部材との２層を有し、前面又は背面において、前記外側部材に形成された吸気口から外気を吸気し、前記外側部材と前記内側部材との間の間隙空間を介して、前記内側部材の内側の収容空間へと外気を流入する、架台装置の内側と外側を隔てるカバー。
【発明の詳細な説明】
【技術分野】
【０００１】
本発明の実施形態は、Ｘ線ＣＴ装置、架台装置及びカバーに関する。
【背景技術】
【０００２】
Ｘ線ＣＴ（Computed Tomography）装置には、架台中央部に被験体を撮影するための撮影口が形成され、箱状の収納部材内に、当該撮影口の周りを回転するようにＸ線管及び検出器が設置され、その他電源、信号処理用の回路等が収納されるものがある。このようなＸ線ＣＴ装置は、収納部材内にＸ線管、計算機等の構成要素が収納されるため、熱がこもり易い上、今日では、回転スピードの高速化及び高出力化に伴いさらに排熱の重要性が増している。排熱を行うために外気と比較して高温となった空気を排出させ、外気を吸気する必要があるが、排熱を効率的に行おうとすると吸排気口からの騒音が問題となる。
【先行技術文献】
【特許文献】
【０００３】
【特許文献１】特開２００１−２３８８７６号公報
【特許文献２】特開平１０−２３４７２１号公報
【発明の概要】
【発明が解決しようとする課題】
【０００４】
そこで、本発明の実施形態は、排熱の効率を向上するとともに、騒音を抑制することが可能なＸ線ＣＴ装置を提供する。
【課題を解決するための手段】
【０００５】
一実施形態によれば、Ｘ線ＣＴ装置は、Ｘ線管及びＸ線検出器を回転させる回転フレームを有する架台装置を備える。架台装置は、前面における外装となる第１外側部材と第１外側部材の内側に位置する第１内側部材との２層を有し、第１外側部材と第１内側部材により前面において内側と外側の境界となり、第１外側部材に形成された第１吸気口から外気を吸気し、第１外側部材と第１内側部材との間の第１間隙空間を介して回転フレームが収容される第１内側部材の内側の収容空間へと外気を流入する、フロントカバーと、後面における外装となる第２外側部材と、第２外側部材の内側に位置する第２内側部材との２層を有し、第２外側部材と第２内側部材により後面において内側と外側の境界となり、第２外側部材に形成された第２吸気口から外気を吸気し、第２外側部材と第２内側部材との間の第２間隙空間を介して収容空間へと外気を流入する、リアカバーと、を備える
【図面の簡単な説明】
【０００６】
【図１】一実施形態に係るＸ線ＣＴ装置の機能を示すブロック図。
【図２】一実施形態に係る架台装置の斜視図。
【図３】一実施形態に係る架台装置の側面図。
【図４】一実施形態に係るフロントカバーにおける流路の一例を示す図。
【図５】一実施形態に係る吸気口の一例を示す図。
【図６】一実施形態に係る架台装置の正面断面図。
【図７】一実施形態に係る架台装置の側面図。
【図８】一実施形態に係る架台装置の正面断面図。
【発明を実施するための形態】
【０００７】
以下、図面を参照しながら、本発明の実施形態を説明する。実施形態は、本発明を限定するものではない。なお、以下の説明において、ほぼ同一の機能及び構成を有する構成要素については、同一符号を付し、重複説明は必要な場合にのみ行う。
【０００８】
（第１実施形態）
図１は、本実施形態に係るＸ線ＣＴ装置の概略的な構成を示す図である。Ｘ線ＣＴ装置１は、架台装置１０と、コンソール装置２０と、医用寝台装置３０と、を備える。
【０００９】
架台装置１０は、Ｘ線管１１と、Ｘ線検出器１２と、回転フレーム１３と、Ｘ線高電圧装置１４と、制御装置１５と、ウェッジ１６と、コリメータ１７と、ＤＡＳ（Data Acquisition System）１８と、を備える。
【００１０】
Ｘ線管１１は、Ｘ線高電圧装置１４からの高電圧の印加により、陰極（フィラメント）から陽極（ターゲット）に向けて熱電子を照射することでＸ線を発生する真空管である。Ｘ線検出器１２は、Ｘ線管１１から照射され、被験体Ｐを透過したＸ線を検出し、当該Ｘ線量に対応した電気信号をＤＡＳ１８へ出力する。回転フレーム１３は、Ｘ線管１１とＸ線検出器１２とを対向支持し、制御装置１５によってＸ線管１１とＸ線検出器１２とを回転させる円環状のフレームである。Ｘ線高電圧装置１４は、変圧器（トランス）及び整流器等の電子回路を有し、Ｘ線管１１に印加する高電圧を発生する機能を有する高電圧発生装置と、Ｘ線管１１が照射するＸ線に応じた出力電圧の制御を行うＸ線制御装置と、を有する。以下、これらのデバイスが収容される架台装置１０の内側の空間を、収容空間と記載する。
【００１１】
制御装置１５は、ＣＰＵ（Central Processing Unit）等を有する処理回路と、モータ及びアクチュエータ等の駆動機構とを有する。制御装置１５は、コンソール装置２０又は架台装置１０に取り付けられた、後述する入力インターフェース２３からの入力信号を受けて、架台装置１０及び医用寝台装置３０の動作制御を行う機能を有する。例えば、制御装置１５は、入力信号を受けて回転フレーム１３を回転させる制御、架台装置１０をチルトさせる制御及び医用寝台装置３０と天板３３を動作させる制御を行う。なお、制御装置１５は、架台装置１０に設けられてもよいし、コンソール装置２０に設けられてもよい。
【００１２】
ウェッジ１６は、Ｘ線管１１から照射されたＸ線量を調節するためのフィルタである。コリメータ１７は、ウェッジ１６を透過したＸ線の照射範囲を絞り込むための鉛板等であり、複数の鉛板等の組み合わせによってスリットを形成する。ＤＡＳ１８は、Ｘ線検出器１２の角Ｘ線検出素子から出力される電気信号に対して増幅処理を行う増幅器と、電気信号をデジタル信号に変換するＡ／Ｄ変換器と、を備え、検出データを生成する。ＤＡＳ１８が生成した検出データは、コンソール装置２０へと転送される。
【００１３】
コンソール装置２０は、メモリ２１と、ディスプレイ２２と、入力インターフェース２３と、処理回路２４と、を備える。メモリ２１は、例えば、投影データや再構成画像データを記憶する。ディスプレイ２２は、各種の情報を表示する。例えば、ディスプレイ２２は、処理回路２４によって生成された医用画像（ＣＴ画像）や、操作者からの各種操作を受け付けるためのＧＵＩ（Graphical User Interface）等を出力する。入力インターフェース２３は、投影データを収集する際の収集条件や、ＣＴ画像を再構成する際の再構成条件、ＣＴ画像から後処理画像を生成する際の画像処理条件等を操作者から受け付ける。処理回路２４は、Ｘ線ＣＴ装置１全体の動作を制御する。なお、本実施形態においては、コンソール装置２０は、架台装置１０と別体であるが、架台装置１０にコンソール装置２０又はコンソール装置２０の構成要素の一部が含まれていてもよい。
【００１４】
医用寝台装置３０は、スキャン対象の被験体Ｐを載置、移動させる装置である。図１には、基台３１と、寝台駆動装置３２と、天板３３と、支持フレーム３４とが、医用寝台装置３０の構成要素として示されている。以下、Ｘ線ＣＴ装置１が設置された床面に対して水平な天板３３の短手方向をＸ軸方向、Ｘ軸方向に直交し、床面に対して垂直な軸方向をＹ軸方向、Ｘ軸方向及びＹ軸方向に直交する天板３３の長手方向をＺ軸方向とそれぞれ規定する。
【００１５】
基台３１は、支持フレーム３４をＹ軸方向に移動可能に支持する筐体である。寝台駆動装置３２は、被験体Ｐが載置された天板３３をＺ軸方向に移動するモータあるいはアクチュエータである。支持フレーム３４の上面に設けられた天板３３は、被験体Ｐが載置される板である。寝台駆動装置３２は、天板３３に加え、支持フレーム３４をＺ軸方向に移動してもよい。
【００１６】
図２は、本実施形態に係るＸ線ＣＴ装置１の架台装置１０の斜視図である。Ｘ線ＣＴ装置１の架台装置１０は、回転フレーム１３の中央部に空間を設け、当該空間内に医用寝台装置３０の天板３３が挿入される形状をしている。この架台装置１０は、その筐体として、フロントカバー１００と、リアカバー１０２と、サイドカバー１０４と、を備え、これらのカバーによって上述したＸ線管１１等が内部に収納される。
【００１７】
フロントカバー１００は、架台装置１０の前面に備えられ、リアカバー１０２は、架台装置１０の後面に備えられる。これらのフロントカバー１００及びリアカバー１０２により、装置の正面側及び背面側が覆われ、架台装置１０の内側と外側が隔てられる。すなわち、フロントカバー１００は、架台装置１０の前面における外側と収容空間１１４との境界を形成し、リアカバー１０２は、架台装置１０の後面における外側と収容空間１１４との境界を形成する。サイドカバー１０４は、架台装置１０の側面及び上面に備えられ、側面及び上面が覆われ、架台装置１０の内側と外側を隔てる。すなわち、サイドカバー１０４は、架台装置１０の側面における外側と収容空間１１４との境界を形成する。サイドカバー１０４は、これには限られず、架台装置１０の下面もまた覆うものであってもよい。
【００１８】
本実施形態においては、フロントカバー１００及びリアカバー１０２は、２層に形成され、この２層に形成された間の空間を介して筐体の内部へ外気を流入する。外気は、架台装置１０の内部と比較して冷たい空気であるので、このように外気を流入することにより架台装置１０の内部を冷却する。
【００１９】
外気を２層に形成されたカバーの間に取り入れるため、フロントカバー１００は、吸気口１０６を備える。吸気口１０６は、例えば、フロントカバー１００において外気が２層のカバーの間に取り入れられるように、フロントカバー１００において架台装置１０の内部に面していないカバーに備えられる。カバーの構造について、詳しく説明する。
【００２０】
図３は、図２に示した架台装置１０の側面を示す図である。破線は、側面から直接観察することのできない内側の状態を示す境界線である。また、実線の矢印は、外気の吸入に関する空気の流れの一例を示す。図３に示すように、フロントカバー１００は、第１外側部材１００Ａと、第１内側部材１００Ｂと、を備える。第１外側部材１００Ａと第１内側部材１００Ｂとの間には、空気の流れを確保するための第１間隙空間が形成される。架台装置１０の収容空間１１４において、前述したＸ線管１１、Ｘ線検出器１２等が、回転フレーム１３にしたがって高速回転する。
【００２１】
第１外側部材１００Ａは、フロントカバー１００の外側、すなわち、架台装置１０の外気と接する外装を形成し、第１間隙空間と外気との境界となる部材である。ここで、外気とは架台装置１０の内部（収容空間１１４）に対して外側に存在する空気のことをいう。第１内側部材１００Ｂは、フロントカバー１００の架台装置１０の内側、すなわち、Ｘ線管１１等が収容される収容空間１１４と面し、第１間隙空間と収容空間１１４との境界となる部材である。密閉部材１４０、１４２は、フロントカバー１００とサイドカバー及び上面カバーとの間に備えられ、これらのカバー同士を固定し、また、他のカバーにも間隙空間が備えられる場合には、これらの間隙空間同士を互いに空気の移動ができない別個の空間として確保するために備えられる。
【００２２】
吸気口１０６は、第１外側部材１００Ａの下部に備えられる。ここで、下部とは、例えば、架台装置１０において、検査時において医用寝台装置３０の天板３３よりも下に位置する領域を言う。一般的に冷たい空気は、熱い空気よりも密度が重く、対流により空間内の下方に流れるので、吸気口１０６を下部に備えることにより、冷たい空気を吸気口１０６から流入することができる。なお、吸気口１０６の位置は、上記の理由により，望ましい一例として下部に備える構成を示したものであり、上部に存在していてもよい。
【００２３】
吸気口１０６から吸気された外気は、第１間隙空間を介して流入口１０８から収容空間１１４へと流入する。Ｘ線ＣＴ装置１が作動中の状態においては、収容空間１１４内部ではＸ線管１１、Ｘ線検出器１２及びこれらに付随する各種デバイスが回転フレーム１３にしたがって高速に回転しており、また、ファンにより収容空間１１４内の空気は、排気されている。このため、被験体Ｐがそのドーナツ状になっている空間の中央を通過する収容空間１１４の内周部においては架台装置１０の外側に対して負圧となり、大気圧である外気は、吸気口１０６、第１間隙空間及び流入口１０８を介して収容空間１１４へと流入する。
【００２４】
このように、フロントカバー１００を２層構造にして空気が流れるような第１間隙空間を備え、かつ、収容空間１１４の内周部、すなわち、回転フレーム１３によりデバイスが回転する中心軸に近い位置において第１間隙空間から収容空間１１４への空気の入口を設けることにより、吸気口１０６から流入口１０８へと外気を流すことが可能となる。
【００２５】
リアカバー１０２についても同様である。リアカバー１０２は、第２外側部材１０２Ａと、第２内側部材１０２Ｂと、を備える。第２外側部材１０２Ａと第２内側部材１０２Ｂとの間には、空気の流れを確保するための第２間隙空間が形成される。
【００２６】
第２外側部材１０２Ａは、リアカバー１０２の外側、すなわち、架台装置１０の外気と接する外装を形成し、第２間隙空間と外気との境界となる部材である。第２内側部材１０２Ｂは、リアカバー１０２の架台装置１０の内側、すなわち、Ｘ線管１１等が収容される収容空間１１４と面し、第２間隙空間と収容空間１１４との境界となる部材である。
【００２７】
吸気口１１０は、第２外側部材１０２Ａの下部に備えられる。なお、吸気口１１０の位置は、上記の理由により，望ましい一例として下部に備える構成を示したものであり、上部に存在していてもよい。
【００２８】
吸気口１１０から吸気された外気は、第２間隙空間を介して流入口１１２から収容空間１１４へと流入する。上記と同様に、被験体Ｐがそのドーナツ状になっている空間の中央を通過する収容空間１１４の内周部においては架台装置１０の外側に対して負圧となり、大気圧である外気は、吸気口１１０、第２間隙空間及び流入口１１２を介して収容空間１１４へと流入する。
【００２９】
図４は、第１間隙空間における吸気口１０６から流入口１０８までの外気の流路の一例を示す図である。実線の矢印が外気の流れを示し、第１間隙空間における破線で示す経路が、外気の流路を示す。なお、リアカバー１０２の第２間隙空間についても同様の流路を形成することが可能である。
【００３０】
この図４に示すように、第１間隙空間において、空間内を自由に空気が移動できるのではなく、所定の流路を備えて、当該流路に沿って空気が流れるようにしてもよい。流路を形成することにより、外気の流れを制御することも可能である。さらに、流路を形成することにより、第１間隙空間における空気による音の伝達を少なくすることにより、空気を介しての収容空間１１４内の騒音の漏れをより少なくすることが可能となる。また、第１間隙空間における外気の流路以外の部分を、例えば、防音性又は吸音性が高い物質を充填して流路を形成することにより、収容空間１１４内の温度を低く保つとともに、さらなる騒音の外部への漏れを抑制することが可能となる。
【００３１】
図５は、吸気口１０６、１１０の別の例を示す図である。吸気口１０６、１１０には、それぞれ、吸気口保護部材１１６、１１８が備えられる。このように、保護部材を備えることにより、使用者又は被験者から吸気口１０６、１１０が見えないようにするとともに、外気を吸入する領域を床面に近づけ、より冷たい外気を取り込むことが可能となる。また、ちり、ほこり等が吸気口１０６、１１０から吸引されないように、吸気口１０６、１１０には、フィルタ等を備えることも可能である。
【００３２】
以上のように、本実施形態によれば、フロントカバー１００及びリアカバー１０２を２層にし、当該２層となっている部材の間の空間を外気の吸入領域とすることにより、外気による冷却を効率よく行うとともに、２層になっていることから内部の騒音が、空気を通して外に伝達することを抑制することが可能となる。回転フレーム１３の存在する架台装置１０の内周部において、直接的に外気を吸入するのではなく、２層で形成されているフロントカバー１００又はリアカバー１０２において正面又は背面から外気を吸入することにより、回転フレーム１３が発する騒音を直接的に外部へと伝達させることなく、外気を吸入することが可能となる。また、このような構成とすることにより、吸気用のファンを用いることなく、収容空間１１４内へと冷たい外気を流入することが可能となる。
【００３３】
なお、本実施形態で説明したフロントカバー１００及びリアカバー１０２は、架台装置１０に元々備えられている必要は無い。すなわち、既に設置されている架台装置１０の前面及び背面のカバーを外し、代わりに本実施形態に係るフロントカバー１００又はリアカバー１０２を設置することも可能である。このように、本実施形態に係るフロントカバー１００又はリアカバー１０２は、既設の架台装置１０のカバーの代替品として用いることもできる。
【００３４】
上述の実施形態では、フロントカバー１００及びリアカバー１０２の双方を２層構造にすることを説明したが、これには限られずいずれか一方のカバーのみを取り替えることによっても同様の効果を得ることが可能である。すなわち、フロントカバー１００及びリアカバー１０２のいずれか一方のカバーとして、上述の実施形態を実装することも可能である。
【００３５】
（第２実施形態）
前述した第１実施形態においては、前面、背面においてカバーを２層にすることについて説明したが、側面のカバーは、任意の形態である。そこで、第２実施形態においては、側面においてもカバーを２層にすることについて説明する。
【００３６】
図６は、本実施形態に係る架台装置１０を正面からの断面図で示すものである。例えば、図２に記載の架台装置１０の側面の中央部の位置における断面を示すものである。サイドカバー１０４は、右側に位置するサイドカバー１２０と、左側に位置するサイドカバー１２２と、を備える。また、サイドから接続されている上面カバー１３６もサイドカバー１０４の一部として形成されてもよい。
【００３７】
サイドカバー１２０は、第３外側部材１２０Ａと、第３内側部材１２０Ｂと、を備え、収容空間１１４と架台装置１０の外部との側面における境界となるカバーである。第３外側部材１２０Ａは、架台装置１０の側面の外装となる部材である。第３内側部材１２０Ｂは、第３外側部材１２０Ａの内側（収容空間１１４側）に位置し、第３外側部材１２０Ａとの間に第３間隙空間を備える。上面カバー１３６との間には、密閉部材１３２が備えられ、密閉部材１３２を介してサイドカバー１２０と、上面カバー１３６とが固定される。密閉部材１３２は、例えば、騒音の伝達を抑えるようにゴム等の樹脂で形成されている。
【００３８】
収容空間１１４と、第３間隙空間との間は、例えば、ファン１２８により接続される。収容空間１１４内の空気は、ファン１２８により第３間隙空間へと排出される。第３間隙空間へと排出された空気は、矢印で示すように、第３外側部材１２０Ａに備えられる排気口１２４から架台装置１０の外部へと排気される。収容空間１１４内で発生した騒音及びファン１２８による騒音の外部への漏れを抑制するために、ファン１２８と、排気口１２４とは、図６に示すように装置において遠い箇所に設置されていてもよい。
【００３９】
サイドカバー１２２、第３外側部材１２２Ａ、第３内側部材１２２Ｂ、排気口１２６、ファン１３０、密閉部材１３４に関しても、上述のサイドカバー１２０等と同様の構成である。なお、図６等においては、左右に設置されているサイドカバーは、いずれも間隙空間を備える２層構造であるが、これには限られず、いずれか一方のサイドカバーのみが２層構造であってもよい。
【００４０】
図７は、本実施形態に係る架台装置１０の側面図である。この図に示すように、サイドカバー１２０の第３内側部材１２０Ｂに備えられたファン１２８からの空気が、第２間隙空間を介して排気口１２４から排気される。なお、図示していないが、前述した実施形態と同様に、防音性、吸音性に優れた物質により排出される空気の流路を形成することにより、さらに防音性能を高めることができる。
【００４１】
以上のように、本実施形態によれば、フロントカバー１００、リアカバー１０２に加え、サイドカバー１０４についても２層構造とし、フロントカバー１００、リアカバー１０２による冷たい空気の吸入と、サイドカバー１０４による熱い空気の排出との両立を可能とする。さらに、前述の実施形態と同様に、架台装置１０の内部で発生する騒音の外部への伝達の抑制をも可能とする。
【００４２】
なお、図５に示す吸気口保護部材１１６、１１８と同様に、排気口保護部材を備えていてもよい。この場合、排気口から上向きに空気が流れるように、排気口の下側においてサイドカバーに固定されていてもよい。
【００４３】
図６において、上面カバー１３６については２層であるか否かについては記載しておらず、上面カバー１３６に備えられるファンは、補助用のファンとして機能するが、上面カバー１３６を２層構造とすることも可能である。図８は、上面カバー１３６を２層構造とした一例を示す。なお、本実施形態では、広義の意味で、上面カバー１３６を含めた概念として、サイドカバー１０４として説明する。すなわち、サイドカバー１０４と記載した場合、上面カバー１３６を含めた意味であるものとする。
【００４４】
図８に示すように、上面カバー１３６は、第３外側部材１３６Ａと、第３内側部材１３６Ｂと、を備え、第３外側部材１３６Ａと第３内側部材１３６Ｂとの間に第３間隙空間を備える。第３外側部材１３６Ａは、排気口１３８を備え、第３内側部材１３６Ｂは、ファン１２８、１３０を備える。第３外側部材１３６Ａ、第３内側部材１３６Ｂ、排気口１３８、及び、ファン１２８、１３０については、上述した実施形態と同様であるので詳しい説明は省略する。
【００４５】
密閉部材１３２とファン１２８の位置関係、及び、密閉部材１３４とファン１３０の位置関係は、図６とは逆となり、収容空間１１４からファン１２８、１３０を介して排出された空気は、上面カバー１３６の第３外側部材１３６Ａに備えられる排気口１３８から架台装置１０の上部へと排気される。
【００４６】
このように、サイドからではなく、上部へと空気を排出することも可能である。この場合、排気口１３８と、吸気口１０６、１１０との距離を遠くすることができる。このため、給気する冷たい空気と、排出する熱い空気とが、上述の実施形態よりも混ざりにくい状態となり、架台装置１０内の冷却効果をさらに向上することが可能となる。
【００４７】
前述した各実施形態において、それぞれのカバーは、空気の流路と一体化されて形成されているので、例えば、既設の架台装置１０に備えられているカバーを、実施形態に係るカバーに取り替える場合においても、その作業性を損なうことなく交換することが可能である。また、架台装置１０の構造に対して、カバーの構造は比較的自由に変更することが可能であるので、様々な架台装置１０において、実施形態に係るカバーを適用することが可能である。
【００４８】
以上、いくつかの実施形態を説明したが、これらの実施形態は、例としてのみ提示したものであり、発明の範囲を限定することを意図したものではない。本明細書で説明した新規な装置および方法は、その他の様々な形態で実施することができる。また、本明細書で説明した装置および方法の形態に対し、発明の要旨を逸脱しない範囲内で、種々の省略、置換、変更を行うことができる。添付の特許請求の範囲およびこれに均等な範囲は、発明の範囲や要旨に含まれるこのような形態や変形例を含むように意図されている。
【００４９】
例えば、流入口１０８は、カバーの上下に位置している例を示したが、これには限られず、適切に室温又は冷たい空気が流入できる位置に設けられていればよい。また、吸気口１０６から流入口１０８の流路は、図示したものに限られず、２重のカバーの間において上述した効果が得られるように設けられていればよい。
【符号の説明】
【００５０】
１：Ｘ線ＣＴ装置
１０：架台装置、１００：フロントカバー、１００Ａ：第１外側部材、１００Ｂ：第１内側部材、１０２：リアカバー、１０２Ａ：第２外側部材、１０２Ｂ：第２内側部材、１０４：サイドカバー、１０６、１１０：吸気口、１０８、１１２：流入口、１１４：収容空間、１１６、１１８：吸気口保護部材、１２０、１２２：サイドカバー、１３６：上面カバー、１２０Ａ、１２２Ａ、１３６Ａ：第３外側部材、１２０Ｂ、１２２Ｂ、１３６Ｂ：第３内側部材、１２４、１２６、１３８：排気口、１２８、１３０：ファン、１３２、１３４、１４０、１４２：密閉部材
１１：Ｘ線管、１２：Ｘ線検出器、１３：回転フレーム、１４：Ｘ線高電圧装置、１５：制御装置、１６：ウェッジ、１７：コリメータ、１８：ＤＡＳ、２０：コンソール装置、２１：メモリ、２２：ディスプレイ、２３：入力インターフェース、２４：処理回路、３０：医用寝台装置、３１：基台、３２：寝台駆動装置、３３：天板、３４：支持フレーム
【図１】
2020039707.tif 000003
【図２】
2020039707.tif 000004
【図３】
2020039707.tif 000005
【図４】
2020039707.tif 000006
【図５】
2020039707.tif 000007
【図６】
2020039707.tif 000008
【図７】
2020039707.tif 000009
【図８】
2020039707.tif 000010